【手続補正書】
【提出日】平成16年7月2日(2004.7.2)
【手続補正１】
【補正対象書類名】明細書
【補正対象項目名】特許請求の範囲
【補正方法】変更
【補正の内容】
【特許請求の範囲】
【請求項１】
楽器における操作部と第１、第２固定接点が形成された基板面との間に配設されるスイッチ本体部と、
それぞれ該スイッチ本体部から延出しており、先端側に前記第１、第２固定接点に対応する可動接点が形成されている第１、第２延出部とを備え、
操作部が押下されることに従って、前記スイッチ本体部が操作部に直接または間接的に押圧されて一端側を第１支点として回動することによって、前記第１延出部の可動接点が前記第１固定接点に当接した後、前記第２延出部の可動接点が前記第２固定接点に当接する操作検出スイッチであって、
前記スイッチ本体部における前記第１、第２延出部の間に、基板面へ向けて突出する突出部を備えており、
前記第１、第２延出部の可動接点が前記第１、第２固定接点に順次当接した後、更に操作部が押下されることに従って、弾性変形しながら、前記第１延出部の可動接点が前記第１固定接点から離れる
ことを特徴とする操作検出スイッチ。
【請求項２】
前記第１、第２延出部の可動接点が前記第１、第２固定接点に順次当接した後、更に操作部が押下されることに従って、前記第２延出部の可動接点が前記第２固定接点に当接した状態で当該第２延出部が弾性変形しながら、前記突出部を第２支点として前記スイッチ本体部が回動することによって、前記第１延出部の可動接点が前記第１固定接点から離れる
ことを特徴とする請求項１に記載の操作検出スイッチ。
【請求項３】
前記スイッチ本体部における前記第１支点とは反対の端部側に、押圧突起が設けられており、操作部が押下されることに従って、前記スイッチ本体部が前記押圧突起を介して操作部に押圧される
ことを特徴とする請求項１または請求項２に記載の操作検出スイッチ。
【請求項４】
前記スイッチ本体部の一端側に、基板面に向けて突出する支点突起が設けられており、操作部が押下されることに従って、前記スイッチ本体部が前記支点突起を前記第１支点として回動する
ことを特徴とする請求項１から３のいずれかに記載の操作検出スイッチ。
【請求項５】
請求項１から請求項４のいずれかに記載の操作検出スイッチによって、操作部の押下動作を検出し、該検出した押下動作に応じて音のパラメータを決定するパラメータ決定手段を備えている楽器であって、
前記パラメータ決定手段が、前記第１延出部の可動接点が前記第１固定接点に当接してから前記第２延出部の可動接点が前記第２固定接点に当接するまでに要する時間と、前記第２延出部の可動接点が前記第２固定接点に当接してから前記第１延出部の可動接点が前記第１固定接点から離れるまでに要する時間とに基づいて音のパラメータを決定する
ことを特徴とする楽器。
【請求項６】
請求項１から請求項４のいずれかに記載の操作検出スイッチによって、操作部の押下動作を検出する楽器において、当該検出した押下動作に応じて音のパラメータを決定するパラメータ決定用プログラムであって、
コンピュータシステムに、
前記第１延出部の可動接点が前記第１固定接点に当接してから前記第２延出部の可動接点が前記第２固定接点に当接するまでに要する時間と、前記第２延出部の可動接点が前記第２固定接点に当接してから前記第１延出部の可動接点が前記第１固定接点から離れるまでに要する時間とに基づいて音のパラメータを決定する手順を
実行させるためのパラメータ決定用プログラム。
【手続補正２】
【補正対象書類名】明細書
【補正対象項目名】００１０
【補正方法】変更
【補正の内容】
【００１０】
この操作検出スイッチは、まず、操作部が押下されることに従って、スイッチ本体部が操作部に直接または間接的に押圧されて一端側を第１支点として回動することによって、第１延出部の可動接点が第１固定接点に当接した後、第２延出部の可動接点が第２固定接点に当接する。そして、第１、第２延出部の可動接点が第１、第２固定接点に順次当接した後、更に操作部が押下されることに従って、弾性変形しながら、第１延出部の可動接点が第１固定接点から離れる。
【手続補正３】
【補正対象書類名】明細書
【補正対象項目名】００１１
【補正方法】変更
【補正の内容】
【００１１】
このように構成された操作検出スイッチによれば、第１延出部の可動接点が第１固定接点に当接する時点、第２延出部の可動接点が第２固定接点に当接する時点、および、第１延出部の可動接点が第１固定接点から離れる時点の三点を、二つの可動接点で検出することができる。よって、二つの可動接点であっても操作部の押下される速度が途中で変化するような演奏方法に対応することができ、かつ、三つの可動接点を利用して操作部の押下動作を検出する操作検出スイッチと比べて、操作検出スイッチ自身の製造コストを抑えることができる。
また、請求項２に記載の操作検出スイッチは、第１、第２延出部の可動接点が第１、第２固定接点に順次当接した後、更に操作部が押下されることに従って、第２延出部の可動接点が第２固定接点に当接した状態で第２延出部が弾性変形しながら、突出部を第２支点としてスイッチ本体部が回動することによって、第１延出部の可動接点が第１固定接点から離れる、ことを特徴とする。
【手続補正４】
【補正対象書類名】明細書
【補正対象項目名】００１５
【補正方法】変更
【補正の内容】
【００１５】
このように構成すれば、二つの可動接点であってもパッドの押下される速度が途中で変化するような演奏方法に対応することができる。
また、請求項３に記載の操作検出スイッチは、
前記スイッチ本体部における前記第１支点とは反対の端部側に、押圧突起が設けられており、鍵が押下されることに従って、前記スイッチ本体部が前記押圧突起を介して操作部に押圧されることを特徴とする。
【手続補正５】
【補正対象書類名】明細書
【補正対象項目名】００１７
【補正方法】変更
【補正の内容】
【００１７】
また、請求項４に記載の操作検出スイッチは、
前記スイッチ本体部の一端側に、基板面に向けて突出する支点突起が設けられており、操作部が押下されることに従って、前記スイッチ本体部が前記支点突起を前記第１支点として回動することを特徴とする。
【手続補正６】
【補正対象書類名】明細書
【補正対象項目名】００１９
【補正方法】変更
【補正の内容】
【００１９】
また、請求項５に記載の楽器は、
請求項１から請求項４のいずれかに記載の操作検出スイッチによって、操作部の押下動作を検出し、該検出した押下動作に応じて音のパラメータを決定するパラメータ決定手段を備えている楽器であって、
前記パラメータ決定手段が、前記第１延出部の可動接点が前記第１固定接点に当接してから前記第２延出部の可動接点が前記第２固定接点に当接するまでに要する時間と、前記第２延出部の可動接点が前記第２固定接点に当接してから前記第１延出部の可動接点が前記第１固定接点から離れるまでに要する時間とに基づいて音のパラメータを決定することを特徴とする。
【手続補正７】
【補正対象書類名】明細書
【補正対象項目名】００２１
【補正方法】変更
【補正の内容】
【００２１】
また、請求項６に記載のパラメータ決定用プログラムは、
請求項１から請求項４のいずれかに記載の操作検出スイッチによって、操作部の押下動作を検出する楽器において、当該検出した押下動作に応じて音のパラメータを決定するパラメータ決定用プログラムであって、
コンピュータシステムに、
前記第１延出部の可動接点が前記第１固定接点に当接してから前記第２延出部の可動接点が前記第２固定接点に当接するまでに要する時間と、前記第２延出部の可動接点が前記第２固定接点に当接してから前記第１延出部の可動接点が前記第１固定接点から離れるまでに要する時間とに基づいて音のパラメータを決定する手順を実行させるためのパラメータ決定用プログラムである。
【手続補正８】
【補正対象書類名】明細書
【補正対象項目名】００２３
【補正方法】変更
【補正の内容】
【００２３】
このようなパラメータ決定用プログラムに従って音のパラメータを決定するコンピュータシステムは、請求項５に記載の楽器におけるパラメータ決定手段として機能することができる。
また、操作部の押下動作を二点で検出する操作検出スイッチを備えた従来の楽器であっても、操作検出スイッチを請求項１から請求項４のいずれかに記載の操作検出スイッチに取り替え、かつ、請求項６に記載のパラメータ決定用プログラムを組み込むことによって、請求項５に記載の楽器として機能させることもできる。